(57)【要約】  【課題】水栓等を無意識に全開にしても、ある程度以上の水量が流出しないように最大水量を抑制することができるとともに、サビ等の異物が流れてきても閉塞しにくい流量抑制用コマの提供。  【解決手段】本発明の流量抑制用コマは、コマの流入側に凸部を形成し、貫通孔の流入側の開口を前記凸部の頂部もしくはその近傍に設け、コマの流入側に設けた凸部の基部の外面と、装着する配管部材の内面との間に、隙間を形成するように構成した。さらに、コマの流入側に筒状の凸部を形成し、この凸部を頂部に半球状に形成し、この半球状の部分に貫通孔の流入側の開口を設けた。以上の構成によって、仮にサビ等の異物が流れてきても、異物は前記凸部にとどまらず、基部の隙間に滞留するので、貫通孔の流入側の開口が異物で塞がれることは防止される。【選択図】      図１
2005030115.tif 000002
【特許請求の範囲】
【請求項１】
コマの流入側から流出側へ貫通孔が設けられた流量抑制コマにおいて、
コマの流入側に凸部を形成し、貫通孔の流入側の開口を前記凸部の頂部もしくはその近傍に設けたことを特徴とする流量抑制用コマ。
【請求項２】
コマの流入側に設けた凸部の基部の外面と、装着する配管部材の内面との間に、隙間を形成するように構成したことを特徴とする請求項１に記載の流量抑制用コマ。
【請求項３】
コマの流入側に筒状の凸部を形成し、この凸部を頂部に半球状に形成し、この半球状の部分に貫通孔の流入側の開口を設けたことを特徴とする請求項１または２の何れかに記載の流量抑制用コマ。
【発明の詳細な説明】
【技術分野】
【０００１】
本発明は、洗面台、浴室、トイレ等への配管内及び水栓器具に装着する水量抑制コマに関するものである。
【背景技術】
【０００２】
従来より、配管内及び水栓器具に装着するための水量抑制コマを、出願人は実用新案登録第3006850号、30140894号において提案してきた。
【０００３】
提案した水量抑制コマを装着すると、水栓を無意識に全開にしても、ある程度以上の水量が流出しないように最大水量が抑制されるので、近年においては、水資源の保護のため、また、水道料金の節約のために、広く使用されるようになってきた。
【０００４】
これらの水量抑制コマは、最大水量を制限するための細い貫通孔が設けられている。そして、水量抑制コマの流入側は平坦状もしくは凹状に形成されている。
【０００５】
図３においては、従来例の流量抑制用コマ１００の使用状態を示した。図示したように、流入側の配管２００と流出側の継手３００との間に前記流量抑制用コマ１００の鍔１５０が挟み込まれている。
【０００６】
前記流量抑制用コマ１００は流入側に凹部１１０が形成され、この凹部１１０に貫通孔１２０、１２０が開口している。（特許文献１参照）
【特許文献１】実用新案登録第3006850号
【発明の開示】
【発明が解決しようとする課題】
【０００７】
図３の例の流量抑制用コマ１００の場合には、貫通孔１２０が凹部１１０に開口しているので、異物が流入した場合には、その異物５００が前記凹部１１０に滞留しやすい。従って、凹部１１０に開口している貫通孔１２０を塞いでしまうという問題が起こりやすい。貫通孔１２０が塞がると、水が流れなくなるという事態に至る。水が流れなくなった場合には、その原因を解明するために手間が必要であり、閉塞している流量抑制用コマを突き止めた場合でも器具や配管を分解してり、異物を取り除くという作業が必要となるという問題がある。
【０００８】
そこで、本発明においては、水栓等を無意識に全開にしても、ある程度以上の水量が流出しないように最大水量を抑制することができるとともに、サビ等の異物が流れてきても閉塞しにくい流量抑制用コマの提供を目的としている。
【課題を解決するための手段】
【０００９】
本発明においては、上記課題を解決するために、
コマの流入側から流出側へ貫通孔が設けられた流量抑制用コマにおいて、
コマの流入側に凸部を形成し、貫通孔の流入側の開口を前記凸部の頂部もしくはその近傍に設けるという手段を講じた。
【００１０】
請求項２では、コマの流入側に設けた凸部の基部の外面と、装着する配管部材の内面との間に、隙間を形成するように構成したことを特徴としている。
【００１１】
請求項３では、コマの流入側に筒状の凸部を形成し、この凸部を頂部に半球状に形成し、この半球状の部分に貫通孔の流入側の開口を設けたことを特徴としている。
【発明の効果】
【００１２】
この流量抑制用コマによれば、無意識に全開にしても、ある程度以上の水量が流出しないように最大水量を抑制することができ、節水効果が得られるのである。
【００１３】
また、この流量抑制用コマの流入側に凸部を設け、凸部に貫通孔を開口させたので、異物が流れてきても貫通孔は閉塞しにくくなるので、水が流れにくくなる等のトラブルの発生を防止できるのである。
【００１４】
本発明においては、コマの流入側の開口を凸部に設けたので、仮に異物が流れてきても、異物は前記凸部にとどまらず、基部の近傍に滞留する。従って、貫通孔の流入側の開口が異物で塞がれることは防止される。
【発明を実施するための最良の形態】
【００１５】
以下に、本発明にかかる流量抑制用コマの最良の実施形態を図面に基づいて詳細に説明する。
【００１６】
図１は、前記流量抑制用コマを配管途中の継手内に装着した状態の側面断面図である。
【００１７】
図１においては、１は本発明による流量抑制用コマ、２は流入側の配管、３は前記配管２に接続された流出側の継手である。
【００１８】
前記継手３は、前記流量抑制用コマ１を挟んで、前記配管２にねじ込んで取り付けられている。
【００１９】
前記流量抑制用コマ１は流入側に凸部１１が形成され、この凸部１１には２つの開口１２、１２が形成され、この開口１２、１２と流出側の開口１３、１３とが、貫通孔１４、１４で連通している。さらに、前記流量抑制用コマ１の側面には鍔１５が形成されている。
【００２０】
前記鍔１５にはパッキン１６が装着されて、配管２と継手３との間に水密状態に装着されている。
【００２１】
そして、凸部１１の基部に鍔１５の内側の径より小さい部分を形成して、配管等に装着したときに、配管の内面と基部との間に隙間Ｓが形成されるようにした。
【００２２】
前記流量抑制用コマ１の特徴としては、流入側に凸部を設けたので、上流側で混入した異物もしくは、配管内面から剥離したサビ等の異物が流れてきても、貫通孔は閉塞しにくい。
【００２３】
例えば、異物５の最大径が貫通孔１４の最小径より小さい場合には、下流側へ流出することが可能であるが、例えば流入側の開口１２の径より大きい場合には、貫通孔の開口１２を塞いでしまう危険性がある。
【００２４】
しかし、本発明によれば、流入側に凸部１１を設けたので流出できない異物５があった場合、異物５は凸部１１からずり落ちて基部の隙間Ｓへ滞留する。
【００２５】
従って、貫通孔の流入側の開口１２が異物５で閉塞しにくくなるので、水が流れにくくなる等のトラブルの発生を防止できるのである。
【実施例１】
【００２６】
流量抑制用コマ１は、汚染物質の溶出がなく、耐蝕性の優れた素材が好ましく、例えば青銅鋳物製が好ましい。
【００２７】
流量抑制用コマ１の前記二本の貫通孔１４，１４の中心軸は、下流側に向かって末広がりになっているが、平行でも、逆に近寄るような配置でもよい。
【００２８】
この流量抑制用コマ１を装着した場合としない場合とを比較すると、開度２５％の場合には５０％程度の節水効果が得られ、開度１００％の場合には流量は２８％程度まで抑制することができる。
【００２９】
また、貫通孔を複数本設けると、例え一方が閉塞しても水量がゼロになることはない。材質を青銅鋳物に限らず、真鍮，ステンレススチール等のように、耐蝕性と強度の高い材質とすると、優れた耐久性が得られ、上記節水効果が長期間得られる。
【００３０】
また、本発明の流量抑制用コマ１は、種々の水栓や継手やシャワーヘッド、さらにはトイレのフラッシュバルブ等のように、種々の器具に内蔵することができる。いずれの場合にも、無意識に全開にしても、ある程度以上の水量が流出しないように最大水量を抑制することができ、節水効果が得られるのである。
【００３１】
また、鍔が同じ口径であっても、貫通孔の径や傾きを変えたり、貫通孔の本数を増やしてもよい。口径は１３ミリに限らず、２０ミリや２５ミリ等種々の口径が可能であり、貫通孔の数も二本に限定されるものではない。
【実施例２】
【００３２】
図２に流量抑制用コマの凸部の形状に関して、他例を示した。
【００３３】
図２の（ａ）に示した流量抑制用コマ１Ａのように、円錐台状の凸部１１Ａの頂部もしくはその近傍に、流入側の開口１２Ａを設けるとよい。そして、凸部１１Ａの基部に鍔１５の内側の径より小さい部分を形成して、配管等に装着したときに、配管の内面と基部との間に隙間が形成されるようにした。
【００３４】
図２の（ｂ）に示した流量抑制用コマ１Ｂのように、径の異なる２段の円柱状の凸部１１Ｂの頂部もしくはその近傍に、流入側の開口１２Ｂを設けるとよい。そして、凸部１１Ｂの基部に鍔１５Ｂの内側の径より小さい部分を形成して、配管等に装着したときに、配管の内面と基部との間に隙間が形成されるようにした。
【図面の簡単な説明】
【００３５】
【図１】本発明の流量抑制用コマの使用状態の側面断面図である。
【図２】本発明の流量抑制用コマの実施例の側面図である。
【図３】従来例の流量抑制用コマの使用状態の側面断面図である。
【符号の説明】
【００３６】
１  流量抑制用コマ
１１  凸部
１２  流入側の開口
１３  流出側の開口
１４  貫通孔
１５  鍔
２  流入側の配管
３  流出側の継手
Ｓ  隙間
【図１】
2005030115.tif 000003
【図２】
2005030115.tif 000004
【図３】
2005030115.tif 000005